(57)【特許請求の範囲】
【請求項１】
映像信号をコピー制御信号と共に映像データとして記録媒体に格納する手段と、
前記記録媒体に格納された映像データを再生する再生手段と、
前記映像データ内の指定された画像を縮小し、前記記録媒体に格納する手段とを具備し、
前記コピー制御信号により一世代のみのコピーが許可されている映像に対しては、前記格納手段による前記縮小画像の格納を禁止することを特徴とする録画再生装置。
【請求項２】
映像内の指定された画像が格納されている位置を示す位置情報を格納する手段を更に具備し、前記コピー制御信号により一世代のみのコピーが許可されている映像に対しては、前記位置情報格納手段が該位置情報を前記記録媒体に格納することを特徴とする請求項１記載の録画再生装置。
【請求項３】
前記コピー制御信号により一世代のみのコピーが許可されている映像に対しては、縮小画像は格納しないということを表示する表示手段を更に具備することを特徴とする請求項１記載の録画再生装置。
【発明の詳細な説明】
【０００１】
【発明の属する技術分野】
本発明は、映像データ内の指定された画像を縮小し、サムネイル画像として記録媒体に格納する機能を具備する録画再生装置に関する。
【０００２】
【従来の技術】
磁気ディスク装置等のランダムアクセスが容易な媒体を利用した録画再生装置では、再生時に便利なように、再生期間の中の数カ所の場面を縮小して画面に表示する所謂サムネイル表示機能が実現されている。このような装置は、予め縮小画像を作成しサムネイル画像として記録媒体上やメモリに格納しておき、サムネイル表示時にはこの格納された縮小画像を用いることで、縮小画像を短時間で表示することができる。
【０００３】
【発明が解決しようとする課題】
ところで、近時、著作権者の要求により、例えば放送された映像は一世代のみの録画を許可するという制限が設けられるようになってきた。この場合、一度磁気ディスク装置等の記録媒体上に記録された映像から、上記縮小画像を作成しこれを記録媒体上に記録すると、記録された縮小画像は二世代目であると解釈することも可能であり、一世代のみの録画を許可するという制限に反する恐れがあった。
【０００４】
従って本発明はコピー回数に制限のない「コピーフリー」のソースを録画した場合は、短時間で縮小画像を表示し、一世代のみの録画が許可されている「一世代コピー可」のソースを録画した場合は、コピー制限に触れずにサムネイル機能を実現できる録画再生装置を提供することを目的とする。
【０００５】
【課題を解決するための手段】
上記目的を達成するために本発明の録画再生装置は、映像信号をコピー制御信号と共に映像データとして記録媒体に格納する手段と、前記記録媒体に格納された映像データを再生する再生手段と、前記映像データ内の指定された画像を縮小し、前記記録媒体に格納する手段とを具備し、前記コピー制御信号により一世代のみのコピーが許可されている映像に対しては、前記縮小画像を格納しない。前記コピー制御信号により一世代のみコピーが許可されている映像に対しては、該位置情報を前記記録媒体に格納する
すなわち本発明では、「コピーフリー」のソースを録画した場合は、縮小画像を予め作成し、表示時にはそれを用いて高速に表示する。一方、「一世代コピー可」のソースを録画した場合、その縮小画像は作成（保存）しないことで、「コピー制限違反」となることを回避するものである。ただし、「一世代コピー可」のソースを録画した場合でも、映像の中でサムネイル画像となる元画像が保存されている位置を示すポインタを保存することで、サムネイル表示機能は実現する。
【０００６】
【発明の実施の形態】
以下、図面を参照しながら本発明の実施の形態について詳細に説明する。
【０００７】
図１は本発明が適用される録画再生装置の構成を示すブロック図である。この録画再生装置は、ハーディスクドライブ装置２０と、ビデオファイルを構築できる情報記憶媒体である光ディスク１０を回転駆動し、この光ディスク１０に対して情報の読み書きを実行するディスクドライブ３５と、録画側を構成するエンコーダ部５０と、再生側を構成するデコーダ部６０と、装置本体の動作を制御するマイクロコンピュータブロック３０とを、主たる構成要素としている。
【０００８】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【０００９】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００１０】
Ｖエンコーダは、入力されたデジタルビデオ信号を、ＭＰＥＧ２またはＭＰＥＧ１規格に基づいて、可変ビットレートで圧縮されたデジタル信号に変換する機能を持つ。また、Ａエンコーダは、入力されたデジタルオーディオ信号を、ＭＰＥＧまたはＡＣ−３規格に基づいて、固定ビットレートで圧縮されたデジタル信号またはリニアＰＣＭのデジタル信号に変換する機能を持つ。
【００１１】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００１２】
フォーマッタ５６は、バッファメモリ５７をワークエリアとして使用しながら、入力されたビデオ信号、オーディオ信号、副映像信号等に対して所定の信号処理を行なうことにより、ＤＶＤの所定フォーマット（ファイル構造）に合致した記録データをデータプロセッサ３６に出力する。
【００１３】
ここで本装置は、Ａ／Ｖ入力部４２又はＴＶチューナ４４から入力されエンコーダ部５０でエンコードされた情報及び作成された管理情報を、データプロセッサ３６を介してハードディスク装置２０に供給し、ハードディスクに記録することができる。またハードディスクに記録された情報を、データプロセッサ３６、ディスクドライブ３５を介して光ディスク１０に記録することもできる。さらに、Ａ／Ｖ入力部４２又はＴＶチューナ４４から入力されエンコーダ部５０でエンコードされた情報及び作成された管理情報をデータプロセッサ３６、ディスクドライブ３５を介して、光ディスク１０に記録することもできる。また光ディスク１０に記録された情報をディスクドライブ３５、データプロセッサ３６を介してハードディスク装置２０に記録することができる。
【００１４】
また、本発明は、ハードディスク装置２０のハードディスクに記録されている情報が、光ディスク１０のデータフォーマットと同じである場合、ハードディスクの情報を光ディスクにエンコード処理無く記録することができる。
【００１５】
またハードディスク装置２０のハードディスクに記録されている情報が、光ディスク１０のデータフォーマットと異なる場合は、ハードディスクから読み出した情報をエンコーダ部５０でエンコードする。そしてエンコードされた情報を光ディスク１０に記録することができる。
【００１６】
光ディスク１０に対して、情報の読み書き（録画及び／または再生）を実行する部分としては、光学系、駆動系を有するディスクドライブ３５と、データプロセッサ３６と、一時記憶部３７と、ＳＴＣ（システムタイムカウンターまたはシステムタイムクロック）３８とを備えている。
【００１７】
一時記憶部３７は、データプロセッサ３６、ディスクドライブ３５介して光ディスク１０に書き込まれるデータ（エンコーダ部５０から出力されるデータ）のうちの一定量分をバッファリングしたり、ディスクドライブ３５、データプロセッサ３６を介して光ディスク１０から再生されたデータ（デコーダ部６０に入力されるデータ）のうちの一定量分をバッファリングするのに利用される。ディスクドライブ３５は、光ディスクに対する回転制御系、レーザ駆動系、光学系などを有する。
【００１８】
データプロセッサ３６は、マイクロコンピュータブロック３０の制御にしたがって、エンコーダ部５０から出力されたＤＶＤ記録データをディスクドライブ３５に供給したり、光ディスク１０から再生したＤＶＤ再生信号をディスクドライブ３５から取り込んだり、光ディスク１０に記録された管理情報を書き替えたり、光ディスク１０に記録されたデータ（ファイルあるいはビデオオブジェクト）の削除をしたりする。
【００１９】
マイクロコンピュータブロック３０は、ＭＰＵ（マイクロプロセシングユニット）、またはＣＰＵ（セントラルプロセシングユニット）と、本発明による処理を含むシステム制御プログラム等が書き込まれたＲＯＭと、プログラム実行に必要なワークエリアを提供するためのＲＡＭとを含んでいる。
【００２０】
マイクロコンピュータブロック３０のＭＰＵは、そのＲＯＭに格納された制御プログラムにしたがい、ＲＡＭをワークエリアとして用いて、本発明による処理、欠陥場所検出、未記録領域検出、録画情報記録位置設定、ＡＶアドレス設定等を実行する。
【００２１】
ＭＰＵの実行結果のうち、ディスクドライブ３５のユーザに通知すべき内容は、ＤＶＤビデオレコーダの表示部４８に表示されるか、またはモニタディスプレイにＯＳＤ（オンスクリーンディスプレイ）表示される。
【００２２】
デコーダ部６０は、ＤＶＤの所定パック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダと、セパレータ６２で分離された副映像データ（副映像パックの内容）をデコードするＳＰデコーダと、セパレータ６２で分離されたオーディオデータ（オーディオパックの内容）をデコードするＡデコーダによるデコーダ群６４と、Ｖデコーダから得られる主映像データにＳＰデコーダから得られる副映像データを適宜合成し、主映像にメニュー、ハイライトボタン、字幕やその他の副映像を重ねて出力するビデオプロセッサ６６を備えている。
【００２３】
Ａデコーダの出力をデジタル出力する場合は、インターフェース（Ｉ／Ｆ）７５を介して外部へ出力され、アナログ出力する場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からＡＤＣ５２を介して入力される信号とデコーダ群６４から入力される信号の一方を選択して出力する。アナログオーディオ信号は、図示しない外部コンポーネント（２チャンネル〜６チャンネルのマルチチャンネルステレオ装置）に供給される。
【００２４】
次に本発明による録画時の処理について説明する。本発明では、「コピーフリー」のソースを録画した場合は、サムネイル画像データを作成し、表示時にはそれを用いて高速に表示する。また、「一世代コピー可」のソースを録画した場合、そのサムネイルは作成（保存）しないことで、「コピー制限違反」となることを回避する。
【００２５】
図２は４個のサムネイル（縮小）画像１〜４を画面に表示した様子を示す。元の映像の画素数を横７２０画素、縦４８０画素とした場合、縮小画像の画素数は例えば横２４０画素、縦１６０画素とする。
【００２６】
図３はディスク上に記録されたデータの例を示す。ディスク上のデータは管理ファイル６１と映像ファイル６２の２つの領域に分かれる。図２において、映像ファイル６２内にある１〜４の箱がサムネイル１〜４の元画像が格納されている領域である。６３ａ〜６３ｄはこれらの画像を元にした縮小画像のデータを示す。また、６４ａ〜６４ｄは元画像１〜４の位置を示すポインタを示す。
【００２７】
次に本発明による録画再生装置の動作について説明する。サムネイル表示機能を実現するためには、上記縮小画像データまたはポインタを管理ファイルに格納すれば良いが、ポインタのみを格納した場合には、映像ファイルにアクセスする必要があり、縮小画像データを格納した場合に比べて表示するまでに時間がかかる。
【００２８】
ところで縮小画像データは二世代目のコピーと解釈することができる。そのため、縮小画像データの格納は問題が生じる場合がある。そこで、元画像が「コピーフリー」のソースを録画した場合は、縮小画像データをサムネイル画像として管理ファイルに格納し、「一世代コピー可」のソースを録画した場合は、ポインタを管理ファイルに格納する。これによって元画像が「コピーフリー」のソースを録画した場合は、短時間で表示が出来、「一世代コピー可」のソースを録画した場合は、コピー制限に触れずにサムネイル機能を実現できる。
【００２９】
図４は本発明による録画時の動作を示すフローチャートである。マイクロコンピュータブロック３０（図１）はステップＳ１のように、例えばＴＶチューナ４４から入力した映像信号をコピー制御信号と共に、例えばディスクドライブ３５を用いてＤＶＤ−ＲＡＭ１０に録画する。このコピー制御信号は例えば垂直ブランキング期間中の信号に多重されている。
【００３０】
マイクロコンピュータブロック３０は記録したデータ中に、一世代のみのコピーを許可する「一世代コピー可」のコピー制御信号が含まれているか判断する。（ステップＳ２）。「コピーフリー」のソースを録画した場合、マイクロコンピュータブロック３０は図３のように、指定された元画像の縮小画像データをサムネイル画像として管理ファイル６１に格納する。
【００３１】
またマイクロコンピュータブロック３０は「一世代コピー可」のソースを録画した場合、指定された元画像の格納位置を示すポインタを管理ファイル６１に格納する。尚、このポインターは例えばＤＶＤ規格におけるインデックスポインターとして管理ファイル６１に格納される。更にマイクロコンピュータブロック３０は「一世代コピー可」のソースを録画したことを示すコピー制御情報６５を管理ファイル６１に格納し、録画した当該ソースについて縮小画像が後に作成されることを防止する。
【００３２】
これによって「コピーフリー」のソースを録画した場合は、短時間で表示が出来、「一世代コピー可」のソースを録画した場合は、コピー制限に触れずにサムネイル機能を実現できる。
【００３３】
なお、「コピーフリー」のソースを録画した場合でも、ポインタを管理ファイルに格納することに問題はない。更にステップＳ４のようにポインタを格納した場合、一世代のみコピーが許可されている映像に対して、縮小画像は格納しないということを画面に表示してもよい。
【００３４】
【発明の効果】
以上詳述したように本発明によれば、「コピーフリー」のソースを録画した場合は、短時間で縮小画像を表示でき、「一世代コピー可」のソースを録画した場合は、コピー制限に触れずにサムネイル機能を実現できる。
【図面の簡単な説明】
【図１】本発明が適用される録画再生装置の構成を示すブロック図。
【図２】４個のサムネイル画像１〜４を画面に表示した様子を示す。
【図３】ディスク上に記録されたデータの例を示す。
【図４】本発明による録画時の動作を示すフローチャート
【符号の説明】
３０…マイクロコンピュータブロック、３５…ディスクドライブ、３６…データプロセッサ、３７…一時記憶部、３８…システムタイムクロック、４２…Ａ／Ｖ入力部、４４…ＴＶチューナ、５０…エンコーダ部、６０…デコーダ部、６１…管理ファイル、６２…映像ファイル、６３…縮小画像データ、６４…サムネイル画像へのポインター、６５…コピー制御情報。
【図１】
0004250326.tif 000002
【図２】
0004250326.tif 000003
【図３】
0004250326.tif 000004
【図４】
0004250326.tif 000005